(57)【要約】      （修正有）【課題】傘袋のみが紛失することを防止し、傘を使用しないときはコンパクトに収容することができる傘袋を提供する。【解決手段】傘袋１は、折り畳み状態の傘を収納するための袋２と、袋２の少なくとも一方の先端部３に設け、傘と連結するための連結部７を設ける。また、袋２の少なくとも一方の先端部３に第１の留め部材５ａを、他方の先端部３に第２の留め部材５ｂを設け、袋２を折り、第１の留め部材５ａと第２の留め部材５ｂとを結合することにより袋２を折り畳める。【選択図】図１
0003231915.tif 000002
【実用新案登録請求の範囲】
【請求項１】
折り畳み状態の傘を収納するための袋と、
当該袋の少なくとも一方の先端部に、前記傘と連結するための連結部を設け、
当該連結部により前記傘と前記傘袋とを連結一体化したことを特徴とする
傘袋。  
【請求項２】
前記傘の柄の頂部に連結体を設け、
前記連結部と前記連結体を連結することにより、前記傘と前記傘袋とを連結一体化したことを特徴とする
請求項１に記載の傘袋。
【請求項３】
前記袋の少なくとも一方の先端部に第１の留め部材を、他方の先端部に第２の留め部材を設け、前記袋を折り、前記第１の留め部材と前記第２の留め部材とを結合することにより袋を折り畳めることを特徴とする
請求項１または２に記載の傘袋。
【請求項４】
前記袋にマチを設けたことを特徴とする
請求項１から３のいずれか１項に記載の
傘袋。
【考案の詳細な説明】
【技術分野】
【０００１】
本考案は、折り畳み傘を収納するための傘袋に関する。
【背景技術】
【０００２】
従来より、折り畳み傘を収納する袋については種々の提案がなされている。例えば特許文献１では、折り畳み状態の傘を収納するための袋を有し、袋にストラップが取り付けられるフックを設けた傘袋が提案されている。
【先行技術文献】
【特許文献】
【０００３】
【特許文献１】実用新案登録第３２１１２６４号公報
【考案の概要】
【考案が解決しようとする課題】
【０００４】
しかし特許文献１における傘袋には、ストラップを付けるためのフックは設けられているものの、あくまでも傘とは別体になっているのみである。使用者にとって傘袋は折り畳み傘を収納する大事なものであるにもかかわらず傘と別体であれば傘袋のみを紛失する虞がある。また、傘袋は使用しない場合はカバン等に入れて持ち運ぶ場合が多いが、傘袋自体をコンパクトにすることができない場合は嵩張り、持ち運ぶ際に不便である。
【課題を解決するための手段】
【０００５】
本考案は上記の課題を解決するために、本考案は、
折り畳み状態の傘を収納するための袋と、
当該袋の少なくとも一方の先端部に設け、前記傘と連結するための連結部を設け、当該連結部により前記傘と前記傘袋とを連結一体化したことを要旨とする。
また、前記傘の柄の頂部に連結体を設け、前期連結部と当該連結体を連結することにより前記傘と前記傘袋とを連結一体化することが好ましい。
また、前記袋の少なくとも一方の先端部に第1の留め部材を、他方の先端部に第２の留め部材を設け、前記袋を折り、前記第１の留め部材と第２の留め部材とを結合することにより袋を折り畳むことができるようにしてもよい。
さらに、前記袋にマチを設けてもよい。
【考案の効果】
【０００６】
本考案の傘袋によれば、袋の先端に設けた連結部により傘と傘袋とを連結一体化することができる。これにより傘袋のみが紛失することを防止することができる。
また、袋を折り畳むことができるため、使用しないときは傘袋をコンパクトに収容することができる。
【図面の簡単な説明】
【０００７】
【図１】本考案の実施形態の傘袋を示す（ａ）上面図、（ｂ）背面図及び（ｃ）正面図である。
【図２】本考案の傘袋を傘に取り付けた状態を示す拡大図である。
【図３】本考案の傘袋を畳んだ状態を示す（ａ）上面図、及び（ｂ）背面図である。
【図４】（ａ）本考案の傘袋に傘を収納する前の状態、（ｂ）傘を収納した後の状態を示す上面図である。
【考案を実施するための形態】
【０００８】
以下、図を参照しながら本考案の実施形態の傘袋について説明する。
【０００９】
本実施形態の傘袋１は、図１（ａ）に示すように、袋２と、当該袋２の両側先端に設けられた両先端部３，３、及び先端部３の一端（本実施形態では右側）に設けられたリング６、及びリング６に取り付けられた連結部としてのフック７とからなる。
【００１０】
袋２は上面視で略長方形状であり、袋２の中央部長手方向にはファスナー４が設けられている。このファスナー４には引き手９が２個設けられており、それぞれを左右に動かして操作することによりファスナー４が開閉する。いわゆるダブルファスナー方式である。
【００１１】
袋２の素材は布や合成樹脂等の公知の材料であり、両先端部３、３の材質についても合成皮革や布等、柔軟性のある公知の材料からなっている。
【００１２】
また、両先端部３，３には図１（ｂ）に示すように、第１の留め部材としての釦の雄５ａと第２の留め部材としての釦の雌５ｂが設けられている。本実施形態では釦の雄５ａは左側、釦の雌５ｂは右側に設けられているが、逆に設けてもよい。
【００１３】
なお、袋２の側部にはマチ８が設けられており、マチ８を上下方向に広げることにより袋２が広がり、袋２の内容積が大きくなるようになっている。
【００１４】
両先端部３，３の一端（本実施形態では右側）には半円状のリング６が先端部３の間に挿通されて設けられている。そしてリング６にはフック７が一体的に設けられている。フック７は図２に示すように、フック本体７ａと可動部７ｂとからなり、可動部７ｂは図示しないばね機構によりフック７を閉じる方向に付勢され、本体部７ａに可動部７ｂの先端が係合することにより通常は閉じている。この可動部７ｂを手で動かすと、図２の一点鎖線で示すように本体部７ａとの係合が解除されフック７の一部が開放できるようになっている。
【００１５】
以下、この傘袋１の使用方法について説明する。
【００１６】
傘袋１と折り畳み傘１０を連結する場合は図２の一点鎖線で示すように、フック７の可動部７ｂを動かして本体部７ａと可動部７ｂの係合を解除し、開放された部分から折り畳み傘１０の柄１１の頂部１１ａに設けられた連結体であるリング１２を本体部７ａに挿通する。リング１２を柄１１の頂部１１ａに設けることにより、傘１１と傘袋１を連結一体化しても使用者は柄１１を持つことができ、使用の妨げになることはない。その後可動部７ｂを図示しないばねの付勢力により本体部７ａの先端に係合するとフック７と折り畳み傘１０との連結が完了する。
【００１７】
また、傘袋１を使用しない場合は図３に示すように、袋２を左右方向の中央部から折り曲げ、折り曲げたときに互いに対向する先端部３，３に設けられた釦の雄５ａと釦の雌５ｂを留めて連結することにより大きさを半分にして折り畳むことができ、コンパクトに収納できる。
【００１８】
さらに、折り畳み傘１１を使用しない場合は図４（ａ）に示すように、傘袋１の袋２を折り畳む際の手順とは逆の手順で広げた後、ファスナー４の引き手９をそれぞれ左右に動かしてファスナー４を開き、袋２を開放する。その後開放された袋２に設けたマチ１１を広げて袋２を図４（ａ）に示す方向及び上下方向に広げた後、折り畳み傘１０を傘袋１の方向に回動して袋２の中に収納し、図４（ｂ）に示すように引き手９を開いたときとは逆方向にに動かしてファスナー４を閉じれば折り畳み傘１０の収納が完了する。
【００１９】
なお、本考案は上記実施形態に限定されず、種々の変更が可能。例えば、折りたたみ傘でなくてもよい。傘に設けたリング１０は柄１１ではなく石突に設けてもよい。またフック７はリング１０に掛けられるものであれば形状は問わない。さらに袋４を３つ折りや４つ折りにし、留め部材で留めてさらにコンパクトにしてもよい。
【符号の説明】
【００２０】
１：傘袋
２：袋
３：先端部
４：ファスナー
５ａ：釦の雄
５ｂ：釦の雌
６：リング
７：フック
７ａ：本体部
７ｂ：可動部
８：マチ
９：引き手
１０：折り畳み傘
１１：柄
１２：リング
【図１】
0003231915.tif 000003
【図２】
0003231915.tif 000004
【図３】
0003231915.tif 000005
【図４】
0003231915.tif 000006